(57)【要約】【課題】浄化装置を設けることなく浴槽内の湯面に浮かぶ湯垢等の汚れ物質を容易に除去することを課題とする。【解決手段】浴槽１２内の湯１４の熱により融解可能であるとともに固化可能な有機化合物を少なくとも有し、浴槽１２内の湯１４に入れると湯面１５に浮かんで湯１４の熱により融解して湯面１５の汚れ物質１６を付着させ、湯１４の温度が低下すると固化して付着した汚れ物質１６とともに湯面１５から除去可能とされた浴槽用汚れ物質除去材２０を用い、当該汚れ物質除去材２０を浴槽１２内の湯１４に入れて湯面１５に浮かべて湯１４の熱により融解させて湯面１５の汚れ物質１６を汚れ物質除去材２０に付着させ、湯１４の温度が低下して汚れ物質除去材２０が固化したときに付着した汚れ物質１６とともに汚れ物質除去材２０を湯面１５から除去する。【選択図】図１
2008062132.tif 000002
【特許請求の範囲】
【請求項１】
浴槽内の湯の熱により融解可能であるとともに固化可能な有機化合物を少なくとも有し、浴槽内の湯に入れると湯面に浮かんで前記湯の熱により融解して湯面の汚れ物質を付着させ、前記湯の温度が低下すると固化して付着した汚れ物質とともに湯面から除去可能とされたことを特徴とする浴槽用汚れ物質除去材。
【請求項２】
前記浴槽内の湯の熱により融解可能であるとともに固化可能な有機化合物を少なくとも含む層と、前記浴槽内の湯の熱で融解しない層と、が少なくとも積層されてフィルム状ないしシート状に形成されたことを特徴とする請求項１に記載の浴槽用汚れ物質除去材。
【請求項３】
前記浴槽内の湯の熱により融解可能であるとともに固化可能な有機化合物を少なくとも含む素材を前記浴槽内の湯の熱で融解しないメッシュ状シートないしメッシュ状フィルムに含浸させてシート状ないしフィルム状に形成されたことを特徴とする請求項１または請求項２に記載の浴槽用汚れ物質除去材。
【請求項４】
前記浴槽内の湯の熱により融解可能であるとともに固化可能な有機化合物を少なくとも含む固形材からなり、浴槽内の湯に入れると湯面に浮かんで前記湯の熱により融解して湯面に拡がって当該湯面の汚れ物質を付着させ、前記湯の温度が低下すると前記汚れ物質を付着した状態で固化して湯面から除去可能とされたことを特徴とする請求項１に記載の浴槽用汚れ物質除去材。
【請求項５】
光により前記汚れ物質を分解する光触媒、前記汚れ物質を吸着する吸着材、抗菌材、カルキ抜き材、の中から選ばれる一種以上を前記有機化合物に混合したことを特徴とする請求項１〜請求項４のいずれかに記載の浴槽用汚れ物質除去材。
【請求項６】
浴槽内の湯の熱により融解可能であるとともに固化可能な有機化合物を少なくとも有して湯面に浮かぶ素材を用い、当該素材を浴槽内の湯に入れて湯面に浮かべて前記湯の熱により融解させて湯面の汚れ物質を前記素材に付着させ、前記湯の温度が低下して前記素材が固化したときに付着した汚れ物質とともに前記素材を湯面から除去することを特徴とする浴槽の汚れ物質除去方法。
【発明の詳細な説明】
【技術分野】
【０００１】
本発明は、浴槽内の湯面に浮かぶ汚れ物質を除去する技術に関する。
【背景技術】
【０００２】
特許文献１には、湯面に浮遊する湯垢等を浴湯の一部とともに湯面に沿って中心部に吸引する水平刳貫部を有する発泡性フロート体と、前記刳貫部の端部と直角に連通してフロート体内部に吸引される浴湯混合の湯垢等を浴槽底部近傍に誘導するフレキシブルチューブ部と、該チューブ部末端部に連結してチューブ部内の浴湯混合の湯垢等を吸引する比較的口径小なる吸引口を有するとともに底部近傍の浴湯を吸引する比較的口径大なる吸引口を有するＴ型ソケット部と、該ソケット部の端部の排出口に連結されて浴湯混合の湯垢等を浴槽外部に排出する吸引ホース部とを設けた公衆浴槽の浴湯浄化装置が記載されている。
【特許文献１】登録実用新案第３０２１８４５号公報
【発明の開示】
【発明が解決しようとする課題】
【０００３】
しかし、湯面に浮遊する湯垢等を除去するために浄化装置が必要である。
【０００４】
本発明は、上記課題に鑑みてなされたもので、浄化装置を設けることなく浴槽内の湯面に浮かぶ湯垢等の汚れ物質を容易に除去することを目的とする。
【課題を解決するための手段】
【０００５】
上記目的を達成するため、本発明の浴槽用汚れ物質除去材は、浴槽内の湯の熱により融解可能であるとともに固化可能な有機化合物を少なくとも有し、浴槽内の湯に入れると湯面に浮かんで前記湯の熱により融解して湯面の汚れ物質を付着させ、前記湯の温度が低下すると固化して付着した汚れ物質とともに湯面から除去可能とされたことを特徴とする。
また、本発明の浴槽の汚れ物質除去方法は、浴槽内の湯の熱により融解可能であるとともに固化可能な有機化合物を少なくとも有して湯面に浮かぶ素材を用い、当該素材を浴槽内の湯に入れて湯面に浮かべて前記湯の熱により融解させて湯面の汚れ物質を前記素材に付着させ、前記湯の温度が低下して前記素材が固化したときに付着した汚れ物質とともに前記素材を湯面から除去することを特徴とする。
【０００６】
すなわち、本汚れ物質除去材は、浴槽内の湯に入れられると、湯面に浮かんで湯の熱により融解して湯面の汚れ物質を付着させる。そして、湯の温度が低下すると、本汚れ物質除去材は固化し、付着した汚れ物質とともに湯面から除去することが可能である。
【０００７】
以上により、汚れ物質除去用の浄化装置を設ける必要がなくなるので、浴槽内の湯面に浮かぶ湯垢等の汚れ物質を容易に除去することが可能になる。また、汚れ物質除去材が固化するときに凝固熱を放出して浴槽内の湯に伝えるので、浴槽内の湯をある程度保温する効果も得られる。
【０００８】
本汚れ物質除去材は、湯の熱により融解可能であるとともに固化可能な有機化合物を含むフィルム状ないしシート状の素材、湯の熱により融解して湯面に拡がる固形材、等が考えられる。
【発明の効果】
【０００９】
請求項１に係る発明によれば、汚れ物質除去用の浄化装置を設けることなく、浴槽内の湯面に浮かぶ汚れ物質を容易に除去することが可能になる。
請求項２、請求項３に係る発明では、汚れ物質除去材を浴槽内の湯面上へ容易に拡げることができるので、より確実に湯面の汚れ物質を除去することが可能になる。
請求項４に係る発明では、汚れ物質除去材を浴槽内の湯面上へ拡げる必要が無いので、より簡単な操作で汚れ物質を除去することが可能になる。
請求項５に係る発明では、さらに確実に汚れ物質が除去されたり、湯面での細菌の増殖が抑えられたり、湯からカルキが除去されたりするので、有用性を向上させることができる。
【００１０】
請求項６に係る発明では、汚れ物質除去用の浄化装置を設けることなく、浴槽内の湯面に浮かぶ汚れ物質を容易に除去することが可能な汚れ物質除去方法を提供することができる。
【発明を実施するための最良の形態】
【００１１】
以下、下記の順序に従って本発明の実施形態を説明する。
（１）浴槽用汚れ物質除去材を用いた汚れ物質除去方法の説明：
（２）浴槽用汚れ物質除去材および汚れ物質除去方法の作用、効果：
（３）具体例：
（４）まとめ：
【００１２】
（１）浴槽用汚れ物質除去材を用いた汚れ物質除去方法の説明：
図１は、本発明の一実施形態に係る浴槽用汚れ物質除去材を用いた汚れ物質除去方法を模式的に示している。本方法では、以下の工程１〜３に従って浴槽内の湯面から湯垢等の汚れ物質を除去する。
（工程１）浴槽１２内の湯１４の熱により融解可能であるとともに固化可能な有機化合物を少なくとも有して湯面１５に浮かぶ素材（汚れ物質除去材２０）を用い、当該素材２０を浴槽１２内の湯１４に入れて湯面１５に浮かべる。
（工程２）汚れ物質除去材２０を湯１４の熱により融解させて湯面１５の汚れ物質１６を汚れ物質除去材２０に付着させる。
（工程３）湯１４の温度が低下して汚れ物質除去材２０が固化したとき、付着した汚れ物質１６とともに汚れ物質除去材２０を湯面１５から除去する。
【００１３】
汚れ物質除去材２０は、浴槽内の湯の熱により融解可能であるとともに固化可能な有機化合物を少なくとも有し、このような有機化合物のみから構成されてもよいし、このような有機化合物以外の素材を含む素材から構成されてもよい。浴槽内の湯の温度は、浴槽外の温度から給湯温度または追い炊き温度まで変化可能であり、０〜８０℃程度まであり得るが、人が湯船に入る観点からは３５〜４５℃が好ましく、３７〜４４℃がより好ましく、３９〜４３℃がさらに好ましい。従って、有機化合物を融解させるときの湯温Ｔ１℃、当該有機化合物を固化させるときの湯温Ｔ２℃（Ｔ２＜Ｔ１）は、０℃≦Ｔ２＜Ｔ１≦８０℃とされ、３５℃≦Ｔ２＜Ｔ１≦４５℃が好ましく、３７℃≦Ｔ２＜Ｔ１≦４４℃がより好ましく、３９℃≦Ｔ２＜Ｔ１≦４３℃がさらに好ましい。
上記有機化合物には、Ｔ２℃より高くＴ１℃より低い融点の化合物を用いることができる。上記有機化合物以外の素材を上記有機化合物に配合する場合には、前記有機化合物以外の素材を配合した有機化合物がＴ２℃より高くＴ１℃より低い融点となるようにすればよい。これにより、前記有機化合物または前記有機化合物を含む素材（以下、単に前記有機化合物を有する素材とも記載）は、Ｔ１℃で融解し、Ｔ２℃で固化するため、湯の熱で融解可能であり、かつ、固化可能である素材といえる。なお、湯温の自然低下により有機化合物を一旦融解させて固化させる観点からはＴ１−Ｔ２≦１０℃が好ましく、Ｔ１−Ｔ２≦７℃がより好ましく、Ｔ１−Ｔ２≦４℃がさらに好ましい。人が湯船に入らない温度条件でも本発明を適用可能であるため、１０℃＜Ｔ２−Ｔ１≦８０℃とすることも可能である。
前記有機化合物を有する素材の融点Ｍｐは、浴槽内の湯が変化しうる温度の範囲内とされるが、Ｔ１℃で速やかに融解しＴ２℃で速やかに固化する観点からはＴ２＋１℃以上Ｔ１−１℃以下が好ましく、Ｔ２＋２℃以上Ｔ１−２℃以下がさらに好ましい。
【００１４】
また、汚れ物質除去材２０は、湯面に浮かぶようにされている。湯面に浮かぶ素材には、Ｔ２〜Ｔ１℃における湯（水）の比重よりも小さい比重の素材や、表面張力により湯面（水面）に浮かぶ素材を用いることができる。従って、前記有機化合物に、Ｔ２〜Ｔ１℃における湯（水）の比重よりも小さい比重の化合物や、表面張力により湯面（水面）に浮かぶ化合物を用いると、好適である。
【００１５】
上記有機化合物は、ポリオレフィンやパラフィン等が考えられ、熱可塑性樹脂が好ましい。当該熱可塑性樹脂には、上述した条件を満たす範囲で、例えば、オレフィン炭化水素（ポリプロピレン（ＰＰ），ポリエチレン（ＰＥ），ポリブテン、等），パラフィン，ポリスチレン，ポリメチルメタアクリレート，塩化ビニル，ポリアミド（ナイロン），ポリカーボネート，ポリアセタール，ポリブチレンテレフタレート，ポリエチレンテレフタレート，ポリエチレングリコール（ＰＥＧ），ポリビニルアルコール（ＰＶＡ），オレフィン系熱可塑性エラストマー，スチレン系熱可塑性エラストマー、これらの樹脂の原料に不飽和酸等の不飽和単量体（アクリル酸，メタクリル酸等の不飽和カルボン酸、メチル（メタ）アクリレート，２−エチルヘキシルアクリレート等の不飽和カルボン酸のアルキルエステル誘導体、マレイン酸，無水マレイン酸，フマル酸等の不飽和ジカルボン酸または酸無水物、アクリルアミド，マレイン酸のモノまたはジエチルエステル等の不飽和カルボン酸または不飽和ジカルボン酸の誘導体、等）を添加して合成して得られる樹脂、これらの混合物、等を用いることができる。特に、オレフィン炭化水素（ポリオレフィン）は、融点が浴槽中の湯の温度範囲内となりやすく、比重が湯よりも小さい点で好ましい。
【００１６】
なお、熱可塑性樹脂の原料に酸（特に有機酸）を添加して合成して得られる酸変性樹脂も、通常、熱可塑性であり、熱可塑性であれば熱可塑性樹脂となる。添加する酸としては、熱可塑性樹脂に親水基を付与するマレイン酸等のカルボキシル基を有する有機酸がよく用いられる。熱可塑性樹脂をマレイン酸で変性した酸変性樹脂を製造するには、付加重合前の熱可塑性樹脂の原料にマレイン酸を添加して付加重合を行えばよい。すると、付加重合後の高分子には親水基が付加される。熱可塑性樹脂の少なくとも一部に酸変性樹脂を用いることにより、汚れ物質除去材に親水性の担体を用いる場合に当該担体と熱可塑性樹脂とのなじみが良くなる。
【００１７】
湯垢等は、通常、疎水性であるため、汚れ物質除去材２０に疎水性の素材を用いると好適である。特に、ポリオレフィンは、疎水性である点で好ましい。
【００１８】
熱可塑性樹脂の分子量については、湯温に近い融点にさせる観点からは２００〜１００００００が好ましく、２５０〜２００００がさらに好ましい。熱可塑性樹脂に前記範囲内の分子量のポリオレフィンプラスチックを用いると、融点が浴槽中の湯の温度範囲内となりやすい点で好ましい。前記ポリオレフィンプラスチックは、オレフィンまたはオレフィン類を本質的に唯一の単量体または単量体類として製造される重合体を主成分とし、オレフィン炭化水素のみから構成されても、オレフィン炭化水素と等重量未満の副成分が含まれていてもよい。
【００１９】
ｎ−パラフィンの場合、例えば、イコサン（Ｃ20Ｈ42、融点３６．８℃、分子量２８２、通称エイコサン）、ヘンイコサン（Ｃ21Ｈ44、融点４０．５℃、分子量２９６、通称ヘンエイコサン）、ドコサン（Ｃ22Ｈ46、融点４４．４℃、分子量３１０）、等を用いることができる。ここで、いずれの炭化水素の融点も直鎖状のパラフィン炭化水素の融点を記載している。また、これらの炭化水素が主成分となるように精製したパラフィンを用いてもよい。
オレフィン炭化水素の場合も、側鎖の数が多くなったり分子量が大きくなったりすると融点が高くなるため、このような傾向を考慮して所望の融点となる分子構造のオレフィン炭化水素を選択して用いることができる。このような炭化水素には、オレフィンワックスが用いられる。
ＰＥＧの場合も、分子量が大きくなったりすると融点が高くなるため、このような傾向を考慮して所望の融点となる分子構造のＰＥＧを選択して用いることができる。
【００２０】
汚れ物質除去材に上述した溶融可能かつ固化可能な有機化合物以外の素材を用いる場合、当該素材は、固体でも液体でもよく、充填材、相溶化剤、滑剤、繊維状素材、核剤、顔料、酸化防止剤、熱安定剤、紫外線吸収剤、帯電防止剤、これらの組み合わせ、等が考えられる。前記有機化合物以外の素材と前記有機化合物との配合割合は、前記有機化合物以外の素材の性質を発現させながら前記有機化合物の性質を十分に残す観点から、前記有機化合物５０〜９９．９重量％に対して前記有機化合物以外の素材を０．１〜５０重量％配合するのが好ましく、前記有機化合物７０〜９９．５重量％に対して前記有機化合物以外の素材を０．５〜７０重量％配合するのがさらに好ましい。
【００２１】
本汚れ物質除去材の形状には、図１〜図３に示すようなフィルム状ないしシート状、図４に示すような固形状、等が考えられる。ここで、フィルムは、長さ及び幅に比べて厚さが極めて小さな薄い平らな製品で、通常０．２５mm以下の厚みとされ、厚みの下限は特に無く例えば０．０１mm以上とされ、通常ロールの形で供給される。また、シートは、薄くて一般にその厚さが長さと幅の割には小さい平らな製品で、フィルムの概念を含み、厚みの範囲は特に無く、例えば０．０１〜１０ｍｍ、０．２５〜５ｍｍとされる。従って、フィルム状ないしシート状とは、薄くて厚さが長さと幅の割には小さい形状を指し、平らに引き出されることを前提としたロール状等の形状を含むものとする。シート状ないしフィルム状も、同じである。
図１に示す汚れ物質除去材２０は、上述した融解可能かつ固化可能な有機化合物のみ、または、当該有機化合物と他の素材と、からなる素材がシート状（あるいはフィルム状）に形成されている。前記素材をシート状ないしフィルム状に形成するには、前記素材を加熱して軟化させて押出成形、プレス成形、射出成形、注型成形、等により成形して固化させたり、前記素材を加熱して溶融させて刷毛等で薄く拡げて固化させたりすればよく、適宜、所定の長さでカットしたり、ロール状に巻いたりすればよい。汚れ物質除去材をシート状ないしフィルム状にすることにより、汚れ物質除去材を浴槽内の湯面上へ容易に拡げることができる。その結果、汚れ物質除去材を湯面の汚れ物質に接触させやすくなるので、より確実に湯面の汚れ物質を付着させて除去することが可能になる。また、汚れ物質除去材をシート状ないしフィルム状にすることにより、外気から浴槽内の湯が断熱されるので、浴槽内の湯をある程度保温させ、エネルギー消費を低減させる効果も得られる。
【００２２】
図２の上段に示す汚れ物質除去材２１は、上述した融解固化可能な有機化合物を少なくとも含む吸着層２１ｂと、浴槽内の湯の熱で融解しない非融解層２１ａと、が少なくとも積層されてフィルム状ないしシート状に形成されている。非融解層２１ａは、汚れ物質除去材に強度を付与する素材であり、Ｔ１℃よりも高い融点を有する熱可塑性樹脂、硬化した熱硬化性樹脂、金属、等を用いることができる。前記熱可塑性樹脂には、Ｔ１℃よりも高い融点を有する範囲で上述した各種の熱可塑性樹脂を用いることができる。前記熱硬化性樹脂には、例えば、不飽和ポリエステル樹脂，エポキシ樹脂，ウレタン樹脂，シリコーン樹脂，フェノール樹脂，ユリア樹脂，メラミン樹脂、これらの混合物、等を用いることができる。複数の層からなるフィルム状ないしシート状の汚れ物質除去材を形成するには、各層を形成するための軟化状態の各素材（加熱軟化した熱可塑性樹脂や硬化前の液状の熱硬化性樹脂など）を用いた多層成形により各素材を積層したり、被塗布物に刷毛等で基材から順次、各素材を塗布して積層したりする。多層成形は、押出成形、プレス成形、射出成形、注型成形、等により行うことができる。
吸着層２１ｂは、湯面の汚れ物質を付着させる観点から、湯面に対向する下面にあるのが好ましい。そして、非融解層２１ａを上に向け吸着層２１ｂを下に向けて湯面上に載置すると、湯面の汚れ物質１６を吸着層２１ｂに付着させて汚れ物質除去材２１とともに除去することができる。
各層２１ａ，ｂの厚みは、汚れ物質除去材に付与する汚れ物質の除去性能や強度に応じて設定すればよいが、例えば、吸着層を非融解層よりも厚くすると汚れ物質除去材における汚れ物質の除去能力を大きくさせるので好ましいと考えられる。
なお、非融解層を２層以上にしたり吸着層を２層以上にしたりして汚れ物質除去材を３層以上積層した構造にしてもよい。
【００２３】
図２の中段に示す汚れ物質除去材２２は、上述した有機化合物を少なくとも含む吸着層２２ｂ，ｃと、浴槽内の湯の熱で融解しない非融解層２２ａと、が少なくとも積層されてフィルム状ないしシート状に形成されている。ここで、第一の吸着層２２ｂは非融解層２２ａの下側で下面に形成され、第二の吸着層２２ｃは非融解層２２ａの上側で上面に形成されている。まず、第二の吸着層２２ｃを上に向け第一の吸着層２２ｂを下に向けて湯面上に載置すると、湯面の汚れ物質１６は第一の吸着層２２ｂに付着して湯面から除去される。その後、第一の吸着層２２ｂを上に向け第二の吸着層２２ｃを下に向けて湯面上に載置すると、湯面の汚れ物質１６は第二の吸着層２２ｃに付着して湯面から除去される。このように、汚れ物質除去材を二度使用することができるので、汚れ物質除去材の消費量を少なくさせることができる。
【００２４】
図２の下段に示す汚れ物質除去材２３の吸着層２３ｂに含まれる有機化合物に、光により汚れ物質１６を分解する光触媒、汚れ物質１６を吸着する吸着材、抗菌材、カルキ抜き材、の中から選ばれる一種以上の機能性素材２３ｃが混合されている。そして、汚れ物質除去材２３は、前記吸着層２３ｂと、浴槽内の湯の熱で融解しない非融解層２３ａと、が少なくとも積層されてフィルム状ないしシート状に形成されている。
上記光触媒には、酸化チタン等が考えられる。上記吸着材には、多孔質無機材料等の多孔質素材等が考えられ、ゼオライト、活性炭、木質系材料、多孔質セラミックス、セピオライト、ワラストナイト、マグネシウムウイスカ、フライアッシュ、等が考えられる。上記抗菌剤には、銀ナノ粒子等の銀粒子等が考えられる。光触媒や吸着材や抗菌剤の形状は、機能性素材の機能を十分に発揮させる観点から、微粒状が好ましい。なお、微粒状は、粉末状ないしペレットよりも細かい粒状をいい、粉末状や微細な繊維状を含む。以下、同じである。また、上記カルキ抜き材には、圧延銅等が考えられる。前記有機化合物を含む素材のうち機能性素材を除く素材と機能性素材との配合割合は、機能性素材の性質を発現させながら前記有機化合物の性質を十分に残す観点から、前記機能性素材を除く素材８０〜９９．９９重量％に対して前記機能性素材を０．０１〜８０重量％配合するのが好ましく、前記機能性素材を除く素材９０〜９９．９重量％に対して前記機能性素材を０．１〜９０重量％配合するのがさらに好ましい。
光触媒を上記有機化合物に混合すると、光が汚れ物質除去材に当たると付着している汚れ物質が光触媒により分解されるので、さらに確実に湯面の汚れ物質が除去され、有用性が向上する。吸着材を上記有機化合物に混合すると、汚れ物質除去材に付着した汚れ物質が吸着材に吸着されるので、さらに確実に湯面の汚れ物質が除去され、有用性が向上する。抗菌剤を上記有機化合物に混合すると、汚れ物質除去材に接触した湯面で細菌の増殖が抑えられるので、有用性が向上する。カルキ抜き材を上記有機化合物に混合すると、湯からカルキが除去されるので、有用性が向上する。
【００２５】
図３に示す汚れ物質除去材３０は、上述した有機化合物を少なくとも含む素材３０ｂを浴槽内の湯の熱で融解しないメッシュ状シートないしメッシュ状フィルム３０ａに含浸させてシート状ないしフィルム状に形成されている。メッシュ状シートないしメッシュ状フィルムとは、上述したシートないしフィルムの定義により、薄くて厚さが長さと幅の割には小さいメッシュ状の素材を指すものとする。このような素材３０ａには、紙、不織布、ガラスクロス、樹脂クロス、等が考えられる。メッシュ状素材３０ａの厚みの範囲は特に無く、例えば０．０１〜１０ｍｍ、０．２５〜５ｍｍとされる。メッシュ状素材におけるメッシュ（穴）の大きさの範囲は特に無く、例えば０．００１〜２ｍｍ、０．２５〜１ｍｍとされる。メッシュ状素材が親水性の媒体である場合、有機化合物の少なくとも一部に酸変性樹脂を用いると、メッシュ状素材との相溶性を高めることができるので好適である。
メッシュ状素材３０ａに上述した融解固化可能な有機化合物を少なくとも含む素材３０ｂを含浸させる方法には、例えば、素材３０ｂを加熱して融解させて所定形状のトレイに注ぎ、メッシュ状素材３０ａを前記トレイに入れて液状の素材３０ｂをメッシュ状素材３０ａに含浸させ、その後メッシュ状素材３０ａをトレイから出して冷却して素材３０ｂを固化させる方法が考えられる。また、融解した素材３０ｂを入れた容器にメッシュ状素材をくぐらせて素材３０ｂをメッシュ状素材に含浸させてもよい。
【００２６】
本汚れ物質除去材３０でも、汚れ物質除去材を浴槽内の湯面上へ容易に拡げることができるので、汚れ物質除去材を湯面の汚れ物質に接触させやすくなる。また、汚れ物質がメッシュ状シートないしメッシュ状フィルム自体に吸着されることも期待される。従って、より確実に湯面の汚れ物質を付着させて除去することが可能になる。
なお、図２のように汚れ物質除去材を積層構造にし、上述した有機化合物を少なくとも含む素材を浴槽内の湯の熱で融解しないメッシュ状シートないしメッシュ状フィルムに含浸させて吸着層２１ｂ，２２ｂ，２２ｃ，２３ｂを形成してもよい。この場合も、汚れ物質がメッシュ状シートないしメッシュ状フィルム自体に吸着されることも期待されるので、より確実に湯面の汚れ物質を付着させて除去することが可能になる。
なお、汚れ物質除去材２０、吸着層２１ｂ，２２ｂ，２２ｃ、素材３０ｂに上述した機能性素材を混合すると、さらに確実に汚れ物質が除去されたり、湯面での細菌の増殖が抑えられたり、湯からカルキが除去されたりするので、有用性が向上する。
【００２７】
（２）浴槽用汚れ物質除去材および汚れ物質除去方法の作用、効果：
図１の工程１で汚れ物質除去材２０を浴槽１２内に入れると、汚れ物質除去材２０は湯面１５上に浮かぶ。ここで、湯１４の温度が前記有機化合物を有する素材の融点Ｍｐよりも高いと（Ｔ１℃とする）、前記有機化合物を有する素材は、湯１４の熱を吸収して融解熱とすることにより融解し、湯面１５の汚れ物質１６を付着させる（工程２）。なお、前記有機化合物を有する素材の全てが融解する場合のみならず、当該素材の一部のみ融解する場合でも、湯面の汚れ物質を付着させる作用が得られるので、本発明に含まれる。ここで、汚れ物質除去材２０がシート状ないしフィルム状であると、断熱効果により浴槽内の湯１４の保温性を向上させることができる。
なお、湯１４の温度が融点Ｍｐよりも低い場合には、追い炊きをしたりＴ１℃より高い温度の湯を注ぎ足したりすることにより、湯１４の温度を融点Ｍｐより高く、好ましくはＴ１℃以上にすればよい。その後、汚れ物質除去材を浴槽中に入れると、汚れ物質除去材が湯面に浮かんで汚れ物質を付着させる。
【００２８】
しばらくそのままにしておくと、湯１４の温度がＴ１℃から融点Ｍｐ未満の温度（Ｔ２℃）に低下する。すると、前記有機化合物を有する素材は、凝固熱を放出しながら固化する。このとき、前記有機化合物を有する素材が汚れ物質１６を付着させて固化するので、当該汚れ物質１６は汚れ物質除去材２０から容易には離れない。これにより、汚れ物質除去材２０を浴槽内の湯面１５から取り除くと、汚れ物質１６は汚れ物質除去材２０に付着したまま湯面１５から除去される（工程３）。なお、前記有機化合物を有する素材の全てが固化する場合のみならず、当該素材の一部のみ固化する場合でも、付着した汚れ物質が除去される作用が得られるので、本発明に含まれる。
また、汚れ物質除去材２０が固化するときに凝固熱を放出して浴槽内の湯１４に伝えるので、浴槽内の湯の保温性を向上させることができる。
なお、湯１４の温度がなかなか融点Ｍｐ未満の温度まで低下しない場合には、Ｔ２℃より低い温度の水を注ぎ足したり氷を入れたりすることにより、素早く湯１４を融点Ｍｐ未満の温度まで下げることができる。
【００２９】
以上説明したように、浴槽内で融点Ｍｐより高くした湯に本汚れ物質除去材を入れて融解後に固化したときに湯面から取り除けば湯面の湯垢等の汚れ物質が除去されるので、汚れ物質除去用の浄化装置を設けることなく、浴槽内の湯面に浮かぶ汚れ物質を容易に除去することが可能になる。また、汚れ物質除去材が固化するときの凝固熱により、浴槽内の湯をある程度保温することができる。
さらに、シート状ないしフィルム状の汚れ物質除去材を用いると、浴槽内の湯と外気とが断熱されるので、浴槽内の湯をある程度保温させ、エネルギー消費を低減させることができる。
【００３０】
図４に示す汚れ物質除去材４０は、浴槽１２内の湯１４の熱により融解可能であるとともに固化可能な有機化合物を少なくとも含んで湯面１５に浮かぶ固形材から構成されている。この場合、工程１で汚れ物質除去材４０を浴槽１２内に入れると、汚れ物質除去材４０は湯面１５上に浮かび、湯温が前記有機化合物を有する素材の融点Ｍｐよりも高いと、前記有機化合物を有する素材が湯１４の熱により融解する。すると、汚れ物質除去材４０は、湯面１５に拡がって、湯面１５の汚れ物質１６を付着させる（工程２）。ここで、汚れ物質除去材が湯面上に拡がるので、浴槽内の湯１４を外気から断熱し、浴槽内の湯１４の保温性を向上させる。
しばらくそのままにしておくと、湯１４の温度が融点Ｍｐ未満の温度に低下する。すると、湯面に拡がった汚れ物質除去材４０は、凝固熱を放出しながら固化し、フィルム状ないしシート状になる。このとき、汚れ物質除去材４０が汚れ物質１６を付着させて固化するので、汚れ物質除去材４０を浴槽内の湯面１５から取り除くと、汚れ物質１６は汚れ物質除去材４０に付着したまま湯面１５から除去される（工程３）。
【００３１】
本汚れ物質除去材４０でも、浴槽内で融点Ｍｐより高くした湯に入れて融解後に固化したときに湯面から取り除けば湯面の汚れ物質が除去されるので、浴槽内の湯面に浮かぶ汚れ物質を容易に除去することが可能になる。また、汚れ物質除去材が固化するときの凝固熱により、浴槽内の湯をある程度保温することができる。さらに、湯面に拡がった汚れ物質除去材により浴槽内の湯と外気とが断熱されるので、浴槽内の湯をある程度保温させ、エネルギー消費を低減させることができる。
【００３２】
（３）具体例：
以下、本浴槽用汚れ物質除去材および汚れ物質除去方法の具体例を示すが、本発明は以下の例に限定されるものではない。
本具体例では、汚れ物質除去材を構成する有機化合物として、ヘンイコサン（Ｃ21Ｈ44、融点４０．５℃）を用いる。ヘンイコサンを約５０℃に加熱して融解させ、厚み０．５mmで４８０mm×４８０mmのポリプロピレン板（融点１５０〜１７５℃）上に厚み約０．５mmとなるように塗布して、２層構造のシート状汚れ物質除去材サンプルを作製し、重量を測定する。深さ３００mmで湯面が５００mm×５００mmとなるテスト浴槽に４２℃の湯を深さ２００mmとなるように入れ、模擬的な湯垢として粉末状としたオレイン酸カルシウム１．０ｇを浴槽中に入れて湯面に浮かべる。ヘンイコサンの層を下側に向けて汚れ物質除去材サンプルをテスト浴槽内の湯面に浮かべ、湯が３８℃に低下するまで放置する。その後、汚れ物質除去材サンプルをテスト浴槽内の湯面から取り除くと、固化したヘンイコサンにオレイン酸カルシウムが付着した状態で湯面から除去されると推測される。
【００３３】
（４）まとめ：
以上説明したように、本発明は、種々の態様により、浄化装置を設けることなく浴槽内の湯面に浮かぶ湯垢等の汚れ物質を容易に除去する技術を提供することができる。なお、本発明は、上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【図面の簡単な説明】
【００３４】
【図１】浴槽用汚れ物質除去材を用いた汚れ物質除去方法を模式的に示す流れ図。
【図２】積層構造としたフィルム状汚れ物質除去材の例を示す図。
【図３】メッシュ状シートに熱可塑性樹脂を含む素材を含浸させたシート状汚れ物質除去材の例を示す図。
【図４】固形状汚れ物質除去材を用いた汚れ物質除去方法を模式的に示す流れ図。
【符号の説明】
【００３５】
１２…浴槽、１４…湯、１５…湯面、１６…汚れ物質、
２０〜２３，３０，４０…浴槽用汚れ物質除去材、
２３ｃ…機能性素材、３０ａ…メッシュ状素材、
【図１】
2008062132.tif 000003
【図２】
2008062132.tif 000004
【図３】
2008062132.tif 000005
【図４】
2008062132.tif 000006